(57)【要約】【課題】  本発明は、消費者が商品を選ぶ際に消費税額を含む総額を容易に把握しやすい内容をラベル等の印字媒体に印字することができるプリンタおよび価格印字方法を提供することを課題とする。【解決手段】  印字金額算出部５は、ホストコンピュータから本体価格が入力された場合には、本体価格に基づいて消費税額および総額を算出し、本体価格、消費税額および総額を印字データとして印字制御部３に出力すると共に、入力部８から総額としての修正価格が入力された場合には、修正価格に基づいて消費税額および修正本体価格を算出し、修正価格、消費税額および修正本体価格を印字データとして印字制御部３に出力する。印字制御部３は、印字金額算出部５から入力された印字データを印字フォーマット設定部４に設定されている印字フォーマットでラベル等の印字媒体に印字する。【選択図】        図１              
2005022386.tif 000002
【特許請求の範囲】
【請求項１】
商品の価格に関する情報を印字媒体に印字するプリンタであって、
入力された本体価格に基づいて消費税額を算出すると共に、本体価格に算出した消費税額を加算した総額を算出する印字金額算出手段と、
消費税額が含まれた総額が表示される総額印字領域が少なくともセットされた複数の印字フォーマットを記憶していると共に、前記複数の印字フォーマットの内のいずれかが設定される印字フォーマット設定手段と、
前記印字金額算出手段によって算出された総額を前記印字フォーマット設定手段によって設定されている印字フォーマットで印字する印字制御手段とを具備することを特徴とするプリンタ。
【請求項２】
前記印字フォーマット設定手段が記憶している前記複数の印字フォーマットには、消費税額が表示される消費税額印字領域と、税込であることを示す文字列が表示される税込表示印字領域と、本体価格を表示する本体価格印字領域とのいずれか、もしくはその組合せがセットされていることを特徴とする請求項１記載のプリンタ。
【請求項３】
商品コードを取得する商品コード取得手段を具備し、
前記印字金額算出手段は、該商品コード取得手段によって前記商品コードが取得された際に、修正価格の入力を消費税額が含まれた総額として受け付け、入力された修正価格に基づいて消費税額と修正本体価格とを算出し、
前記印字制御手段は、入力された修正価格と、前記印字金額算出手段によって算出された消費税額もしくは修正本体価格とを前記印字フォーマット設定手段によって設定されている印字フォーマットで印字することを特徴とする請求項１又は２記載のプリンタ。
【請求項４】
前記商品コード取得手段によって取得された商品コードと、前記印字金額算出手段によって算出された修正本体価格とを記憶する修正データ記憶手段を具備することを特徴とする請求項３記載のプリンタ。
【請求項５】
商品の価格に関する情報を印字媒体に印字するプリンタにおける価格印字方法であって、
本体価格の入力を受け付け、
入力された本体価格に基づいて消費税額を算出すると共に、本体価格に算出した消費税額を加算した総額を算出し、
消費税額が含まれた総額が表示される総額印字領域が少なくともセットされた複数の印字フォーマットを記憶しておき、
該記憶している複数の印字フォーマットの内のいずれかを設定し、
前記設定した印字フォーマットで少なくとも前記算出した総額を印字することを特徴とする価格印字方法。
【発明の詳細な説明】
【技術分野】
【０００１】
本発明は、プリンタおよび価格印字方法に関し、特に商品に貼付するラベル等の印字媒体に消費税額を含む総額を印字するプリンタおよび価格印字方法に関する。  
【背景技術】
【０００２】
スーパー等で販売する商品には、価格を示すラベルが貼付されており、消費者は、貼付されたラベルを見て商品を購入している。従来、商品に貼付されたラベルには、消費税額抜きの本体価格が印字されているのが一般的であり、消費者は、ラベルに印字されている本体価格を見て購入を決定し、レジにて算出された消費税額を含む総額を支払っている（例えば、特許文献１参照）。
【特許文献１】特開平１０−１６２２５１号公報
【発明の開示】
【発明が解決しようとする課題】
【０００３】
しかしながら、従来技術では、商品に貼付されているラベルに、例えば本体価格９８００円と印字されている場合、レジ精算時に実際に支払う総額は、本体価格９８００円に消費税率５％の４９０円を足した１０２９０円となり、１００００円を超える金額となっていた。また、タイムサービスなどにおける値下げ価格も同様に本体価格を基準に値下げ額を算出してラベルに印字されているため、値下げ後の本体価格のみが表示されていた。すなわち、商品に貼付されたラベルに消費税額抜きの本体価格のみが印字されているため、消費者は、商品を選ぶ際に消費税額を含む総額を把握しにくいという問題点があった。
【０００４】
本発明は斯かる問題点を鑑みてなされたものであり、その目的とするところは、少なくとも消費税額が含まれた総額を含む所望の印字フォーマットでラベル等の印字媒体に印字することができ、消費者が商品を選ぶ際に消費税額を含む総額を容易に把握しやすい内容をラベル等の印字媒体に印字することができるプリンタおよび価格印字方法を提供する点にある。
【課題を解決するための手段】
【０００５】
本発明は上記課題を解決すべく、以下に掲げる構成とした。
請求項１記載の発明の要旨は、商品の価格に関する情報を印字媒体に印字するプリンタであって、入力された本体価格に基づいて消費税額を算出すると共に、本体価格に算出した消費税額を加算した総額を算出する印字金額算出手段と、消費税額が含まれた総額が表示される総額印字領域が少なくともセットされた複数の印字フォーマットを記憶していると共に、前記複数の印字フォーマットの内のいずれかが設定される印字フォーマット設定手段と、前記印字金額算出手段によって算出された総額を前記印字フォーマット設定手段によって設定されている印字フォーマットで印字する印字制御手段とを具備することを特徴とするプリンタに存する。
【０００６】
また請求項２記載の発明の要旨は、前記印字フォーマット設定手段が記憶している前記複数の印字フォーマットには、消費税額が表示される消費税額印字領域と、税込であることを示す文字列が表示される税込表示印字領域と、本体価格を表示する本体価格印字領域とのいずれか、もしくはその組合せがセットされていることを特徴とする請求項１記載のプリンタに存する。
【０００７】
また請求項３記載の発明の要旨は、商品コードを取得する商品コード取得手段を具備し、前記印字金額算出手段は、該商品コード取得手段によって前記商品コードが取得された際に、修正価格の入力を消費税額が含まれた総額として受け付け、入力された修正価格に基づいて消費税額と修正本体価格とを算出し、前記印字制御手段は、入力された修正価格と、前記印字金額算出手段によって算出された消費税額もしくは修正本体価格とを前記印字フォーマット設定手段によって設定されている印字フォーマットで印字することを特徴とする請求項１又は２記載のプリンタに存する。
【０００８】
また請求項４記載の発明の要旨は、前記商品コード取得手段によって取得された商品コードと、前記印字金額算出手段によって算出された修正本体価格とを記憶する修正データ記憶手段を具備することを特徴とする請求項３記載のプリンタに存する。      
【０００９】
また請求項５記載の発明の要旨は、商品の価格に関する情報を印字媒体に印字するプリンタにおける価格印字方法であって、本体価格の入力を受け付け、入力された本体価格に基づいて消費税額を算出すると共に、本体価格に算出した消費税額を加算した総額を算出し、消費税額が含まれた総額が表示される総額印字領域が少なくともセットされた複数の印字フォーマットを記憶しておき、該記憶している複数の印字フォーマットの内のいずれかを設定し、前記設定した印字フォーマットで少なくとも前記算出した総額を印字することを特徴とする価格印字方法に存する。
【発明の効果】
【００１０】
本発明のプリンタおよび価格印字方法は、本体価格に基づいて消費税額および本体価格に消費税額を加算した総額を算出し、総額を表示する総額印字領域がセットされた複数の印字フォーマットの内のいずれかに設定された印字フォーマットに基づいて、ラベルに消費税額が含まれた総額を印字するように構成することにより、少なくとも消費税額が含まれた総額を含む所望の印字フォーマットでラベル等の印字媒体に印字することができ、消費者が商品を選ぶ際に消費税額を含む総額を容易に把握しやすい内容をラベル等の印字媒体に印字することができるという効果を奏する。
【００１１】
さらに、本発明のプリンタおよび価格印字方法は、入力部から入力された修正価格を総額として認識して消費税額および修正本体価格を算出し、総額を表示する総額印字領域がセットされた複数の印字フォーマットの内のいずれかに設定された印字フォーマットに基づいて、ラベルに消費税額が含まれた総額を印字するように構成することにより、ユーザは、総額を対象として値決めを行うことができ、消費者のニーズにあった価格に修正することができるという効果を奏する。
【００１２】
さらに、本発明のプリンタおよび価格印字方法は、入力部から入力された修正価格を総額として認識して消費税額および修正本体価格を算出し、スキャナ部によって取得された商品コードおよび修正本体価格を修正データ記憶部に記憶させるように構成することにより、ユーザによって修正された修正本体価格を把握することができるため、商品管理を簡便に行うことができるという効果を奏する。
【発明を実施するための最良の形態】
【００１３】
以下、本発明を実施するための最良の形態を図面に基づいて詳細に説明する。図１は、本発明に係るプリンタの実施の形態の構成を示すブロック図であり、図２は、図１に示す印字部の構成を示す概略構成図である。
【００１４】
本実施の形態のプリンタ１は、図１を参照すると、印字部２と、印字制御部３と、印字フォーマット設定部４と、印字金額算出部５と、修正データ記憶部６と、スキャナ部７と、入力部８と、表示部９とからなり、図示しないインターフェースによってホストコンピュータに接続することができる構成となっている。
【００１５】
印字部２は、図２を参照すると、帯状台紙にラベル１０が等間隔に仮着されてなるラベル連続体２１が装着される供給リール２２と、ラベル連続体２１を搬送するプラテンローラ２３と、プラテンローラ２３との間にラベル連続体２１を挟持してラベル連続体２１に印字を行うサーマルヘッド２４と、帯状台紙に印刷されているタイミングマークを検出するセンサ部２５とからなり、印字制御部３は、センサ部２５からの出力によって印字タイミングを制御しながらプラテンローラ２３およびサーマルヘッド２４を駆動してラベル１０に印字を行う。
【００１６】
印字制御部３は、印字部２によるラベル１０への印字を制御する制御手段であり、印字部２を制御することによって、印字金額算出部５から入力された印字データを印字フォーマット設定部４に設定されている印字フォーマットでラベル１０に印字する。
【００１７】
印字フォーマット設定部４は、後述する総額印字領域を有する複数の印字フォーマットが記憶されており、入力部８からの入力に基づいて記憶されている複数の印字フォーマットの内のいずれかが設定されている。
【００１８】
印字金額算出部５は、図示しないインターフェースを介して接続されたホストコンピュータから本体価格が入力された場合には、入力された本体価格に基づいて消費税額を算出すると共に、本体価格に算出した消費税額を加算した総額を算出し、本体価格および消費税額を印字データとして印字制御部３に出力する。また、印字金額算出部５は、入力部８から修正価格が入力された場合には、修正価格を総額として認識して消費税額を算出すると共に、修正価格から算出した消費税額を減算した修正本体価格を算出し、修正価格、消費税額および修正本体価格を印字データとして印字制御部３に出力する。また、印字金額算出部５は、スキャナ部７によって取得された商品コードおよび修正本体価格を修正データ記憶部６に出力すると共に、図示しないインターフェースを介してホストコンピュータに接続された際に、修正データ記憶部６に記憶されている商品コードおよび修正本体価格をホストコンピュータに送信する。
【００１９】
修正データ記憶部６は、ＲＡＭ等の記憶手段であり、印字金額算出部５から入力された商品コードと、修正した本体価格とが記憶される。
【００２０】
スキャナ部７は、商品に印刷されているバーコードを読み取るバーコードスキャナであり、バーコードを読み取ることによって商品コードを取得し、取得した商品コードを印字金額算出部５に出力する。
【００２１】
入力部８は、テンキーを有する入力手段であり、ユーザによって修正総額が入力され、表示部９は、液晶等の表示手段であり、入力部８から入力された各種情報や、ユーザが入力部８から入力する際のガイダンスとなる各種案内を表示する。
【００２２】
次に、本実施の形態の印字フォーマット設定動作について図３乃至図５を参照して詳細に説明する。
図３は、本発明に係るプリンタの実施の形態の印字フォーマット設定動作を説明するためのフローチャートであり、図４および図５は、図１に示す印字フォーマット設定部に記憶されている印字フォーマット例を示す図である。
【００２３】
まず、入力部８から印字フォーマットの設定登録の入力がされると、印字フォーマット設定部４は、表示部９に本体価格の表示の有無を問う案内を表示し、ユーザは、本体価格表示の有無の選択入力を入力部８から行う（ステップＡ１）。ステップＡ１で入力部８から本体価格の表示なしの入力がされると、印字フォーマット設定部４は、表示部９に消費税額の表示の有無を問う案内を表示し、ユーザは、消費税額表示の有無の選択入力を入力部８から行う（ステップＡ２）。ステップＡ２で入力部８から消費税額の表示なしの入力がされると、印字フォーマット設定部４は、総額が表示される総額印字領域１１のみがセットされた図４（ａ）に示す印字フォーマットを設定登録する（ステップＡ３）。
【００２４】
ステップＡ２で入力部８から消費税額の表示ありの入力がされると、印字フォーマット設定部４は、表示部９に税込表示の有無、すなわち消費税額の表示を「税込」という文字列の表示にするか否かを問う案内を表示し、ユーザは、税込表示の有無の選択入力を入力部８から行う（ステップＡ４）。ステップＡ４で入力部８から税込表示なしの入力がされると、印字フォーマット設定部４は、総額が表示される総額印字領域１１と、消費税額が表示される消費税額印字領域１２とがセットされた図４（ｂ）に示す印字フォーマットを設定登録する（ステップＡ５）。
【００２５】
ステップＡ４で入力部８から税込表示ありの入力がされると、印字フォーマット設定部４は、総額が表示される総額印字領域１１と、「税込」という文字列が表示される税込表示印字領域１３とがセットされた図４（ｃ）に示す印字フォーマットを設定登録する（ステップＡ６）。
【００２６】
ステップＡ１で入力部８から本体価格の表示ありの入力がされると、印字フォーマット設定部４は、表示部９に消費税額の表示の有無を問う案内を表示し、ユーザは、消費税額表示の有無の選択入力を入力部８から行う（ステップＡ７）。ステップＡ７で入力部８から消費税額の表示なしの入力がされると、印字フォーマット設定部４は、総額が表示される総額印字領域１１と、本体価格が表示される本体価格印字領域１４とがセットされた図５（ａ）に示す印字フォーマットを設定登録する（ステップＡ８）。
【００２７】
ステップＡ７で入力部８から消費税額の表示ありの入力がされると、印字フォーマット設定部４は、表示部９に税込表示の有無、すなわち消費税額の表示を「税込」という文字列の表示にするか否かを問う案内を表示し、ユーザは、税込表示の有無の選択入力を入力部８から行う（ステップＡ９）。ステップＡ９で入力部８から税込表示なしの入力がされると、印字フォーマット設定部４は、総額が表示される総額印字領域１１と、本体価格が表示される本体価格印字領域１４と、消費税額が表示される消費税額印字領域１２とがセットされた図５（ｂ）に示す印字フォーマットを設定登録する（ステップＡ１０）。
【００２８】
ステップＡ９で入力部８から税込表示ありの入力がされると、印字フォーマット設定部４は、総額が表示される総額印字領域１１と、本体価格が表示される本体価格印字領域１４と、「税込」という文字列が表示される税込表示印字領域１３とがセットされた図５（ｃ）に示す印字フォーマットを設定登録する（ステップＡ１１）。なお、総額印字領域１１、本体価格印字領域１４および税込表示印字領域１３とがセットされた印字フォーマットとしては、図５（ｃ）に示すように本体価格印字領域１４をメインの位置に配置する以外に、図５（ｄ）に示すように総額印字領域１１をメインの位置に配置するようにしても良い。
【００２９】
次に、本実施の形態の通常印字動作について図６を参照して詳細に説明する。
図６は、本発明に係るプリンタの実施の形態の通常印字動作を説明するためのフローチャートである。
【００３０】
印字金額算出部５は、図示しないインターフェースを介してホストコンピュータに接続された状態で、ホストコンピュータから本体価格が入力されると（ステップＢ１）、入力された本体価格に基づいて消費税額を算出する（本体価格＊消費税率）と共に、本体価格に算出した消費税額を加算した総額を算出し（ステップＢ２）、本体価格、消費税額および総額を印字データとして印字制御部３に出力する。
【００３１】
印字制御部３は、印字金額算出部５から本体価格、消費税額および総額が印字データとして入力されると、印字部２を制御することにより、印字金額算出部５から入力された印字データを印字フォーマット設定部４に設定されている印字フォーマットでラベル１０に印字する（ステップＢ３）。
【００３２】
次に、本実施の形態の修正価格印字動作について図７を参照して詳細に説明する。
図７は、本発明に係るプリンタの実施の形態の修正価格印字動作を説明するためのフローチャートである。
【００３３】
タイムサービス等で店頭に並べられている商品の値段を修正する場合には、まず、スキャナ部７によって商品に印刷されているバーコードを読み取ることによって商品コードを取得し（ステップＣ１）、スキャナ部７は、取得した商品コードを印字金額算出部５に出力する。
【００３４】
印字金額算出部５は、スキャナ部７から商品コードが入力されると、修正価格を受け付ける案内を表示部９に表示し、ユーザは、修正価格の入力を入力部８から行う（ステップＣ２）。
【００３５】
印字金額算出部５は、入力部８から修正価格が入力されると、修正価格を総額として認識して消費税額を算出する（修正価格＊消費税率／（１＋消費税率））と共に、修正価格から算出した消費税額を減算した修正本体価格を算出し（ステップＣ３）、修正価格、消費税額および修正本体価格を印字データとして印字制御部３に出力する。また、印字金額算出部５は、スキャナ部７によって取得された商品コードおよび修正本体価格を修正データ記憶部６に出力し、商品コードおよび修正本体価格が修正データ記憶部６に記憶される（ステップＣ４）。
【００３６】
印字制御部３は、印字金額算出部５から修正価格、消費税額および修正本体価格が印字データとして入力されると、印字部２を制御することにより、印字金額算出部５から入力された印字データを印字フォーマット設定部４に設定されている印字フォーマットでラベル１０に印字する（ステップＣ５）。なお、修正価格は、総額印字領域１１に、修正本体価格は、本体価格印字領域１４にそれぞれ印字される。
【００３７】
ラベル１０への印字終了後、図示しないインターフェースを介してホストコンピュータに接続された際には、印字制御部３は、修正データ記憶部６に記憶されている商品コードおよび修正本体価格をホストコンピュータに送信する。
【００３８】
以上説明したように、本発明を実施するための最良の形態によれば、本体価格に基づいて消費税額および本体価格に消費税額を加算した総額を算出し、総額を表示する総額印字領域１１がセットされた複数の印字フォーマットの内のいずれかに設定された印字フォーマットに基づいて、ラベルに消費税額が含まれた総額を印字するように構成することにより、少なくとも消費税額が含まれた総額を含む所望の印字フォーマットでラベル等の印字媒体に印字することができ、消費者が商品を選ぶ際に消費税額を含む総額を容易に把握しやすい内容をラベル等の印字媒体に印字することができるという効果を奏する。
【００３９】
さらに、本実施の形態によれば、入力部８から入力された修正価格を総額として認識して消費税額および修正本体価格を算出し、総額を表示する総額印字領域１１がセットされた複数の印字フォーマットの内のいずれかに設定された印字フォーマットに基づいて、ラベルに消費税額が含まれた総額を印字するように構成することにより、ユーザは、総額を対象として値決めを行うことができ、消費者のニーズにあった価格に修正することができるという効果を奏する。
【００４０】
さらに、本実施の形態によれば、入力部８から入力された修正価格を総額として認識して消費税額および修正本体価格を算出し、スキャナ部７によって取得された商品コードおよび修正本体価格を修正データ記憶部６に記憶させるように構成することにより、ユーザによって修正された修正本体価格を把握することができるため、商品管理を簡便に行うことができるという効果を奏する。
【００４１】
なお、本実施の形態では、ラベル１０に価格に関する情報のみを印字するように構成したが、商品名やバーコード等の商品に関する情報も印字するようしても良い。さらに、本実施の形態では、対象とする印字媒体をラベルとして説明したが、対象とする印字媒体は、ラベルに限らず、タグ等でも良い。
【００４２】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００４３】
【図１】本発明に係るプリンタの実施の形態の構成を示すブロック図である。
【図２】図１に示す印字部の構成を示す概略構成図である。
【図３】本発明に係るプリンタの実施の形態の印字フォーマット設定動作を説明するためのフローチャートである。
【図４】図１に示す印字フォーマット設定部に記憶されている印字フォーマット例を示す図である。
【図５】図１に示す印字フォーマット設定部に記憶されている印字フォーマット例を示す図である。
【図６】本発明に係るプリンタの実施の形態の通常印字動作を説明するためのフローチャートである。
【図７】本発明に係るプリンタの実施の形態の修正価格印字動作を説明するためのフローチャートである。
【符号の説明】
【００４４】
１  プリンタ
２  印字部
３  印字制御部
４  印字フォーマット設定部
５  印字金額算出部
６  修正データ記憶部
７  スキャナ部
８  入力部
９  表示部
１０  ラベル
１１  総額印字領域
１２  消費税額印字領域
１３  税込表示印字領域
１４  本体価格印字領域
２１  ラベル連続体
２２  供給リール
２３  プラテンローラ
２４  サーマルヘッド
２５  センサ部
【図１】
2005022386.tif 000003
【図２】
2005022386.tif 000004
【図３】
2005022386.tif 000005
【図４】
2005022386.tif 000006
【図５】
2005022386.tif 000007
【図６】
2005022386.tif 000008
【図７】
2005022386.tif 000009